(57)【要約】【課題】  本発明は、用紙のＪＡＭを防止すること、及び重なり合う印刷面のトナー溶着を防止することができる用紙折り畳み装置を提供することを課題とする。【解決手段】  折りミシン目のついた連続印刷用紙を表裏交互に折り畳み、前記折り畳まれた用紙が積載されるテーブル及び該テーブルに積載された用紙の上面を検出するセンサを有し、該センサの検出により、前記テーブルが一定量降下する用紙折り畳み装置であって、前記センサの検出により前記テーブルが一定量降下後、前記テーブルを上下に振幅動作させる。【選択図】図１
2005247532.tif 000002
【特許請求の範囲】
【請求項１】
折りミシン目のついた連続印刷用紙を表裏交互に折り畳み、前記折り畳まれた用紙が積載されるテーブル及び該テーブルに積載された用紙の上面を検出するセンサを有し、該センサの検出により、前記テーブルが一定量降下する用紙折り畳み装置であって、前記センサの検出により前記テーブルが一定量降下後、前記テーブルを上下に振幅動作させることを特徴とする用紙折り畳み装置。
【請求項２】
前記テーブルが一定量降下する時に前記テーブル及び該テーブル上に積載された用紙の自重により発生する衝撃力を弾性体で受け、該弾性体の伸縮により前記テーブルの上下振幅動作を行うことを特徴とする請求項１記載の用紙折り畳み装置。
【請求項３】
前記テーブルの上下振幅動作による積載用紙上面の振幅高さが、前記センサの検出高さ以下であることを特徴とする請求項１記載の用紙折り畳み装置。
【発明の詳細な説明】
【技術分野】
【０００１】
本発明は、電子写真方式などを利用した印刷機の用紙折り畳みに関するものである。
【背景技術】
【０００２】
従来技術を図３を用いて説明する。
【０００３】
図３に示すように、電子写真印刷装置は、光導電性を有する感光体表面１に光学部２により印刷データを露光し、感光体表面１に電位差を生じさせ、粉体インクであるトナ−を現像機３により現像し、感光体表面１から印刷用紙４に転写させ、定着装置５で加熱することでトナ−を融解して印刷用紙４に定着させ、用紙折り畳み装置６で印刷用紙４の折り畳みを行っている。
【０００４】
定着装置５から送られる印刷用紙４は、揺動するスイングフィン７により折りミシン目に沿って表裏交互に折り畳たまれ、Ｔベルト８により折り畳まれた用紙ミシン目をテーブル９上に押さえつけて印刷用紙４を折り畳み、テーブル９上に一定量の印刷用紙４が堆積されると、印刷用紙４の上面が光学式センサ１０により検出されテーブル９が一定量降下し、これらの動作を繰り返して折り畳みを行っている。
【０００５】
さらに、従来の用紙折り畳み装置は、定着装置５により加熱された印刷用紙４に残留した熱を冷やす手段として、用紙冷却用送風機１１及び用紙冷却用ダクト１２を有しており、ダクト１２の送風口を、用紙積載方向に沿って複数設けることにより用紙冷却効果を向上させている（例えば、特許文献１参照）。
【０００６】
【特許文献１】特開平０９−２７８２７８号公報
【発明の開示】
【発明が解決しようとする課題】
【０００７】
従来の用紙折り畳み装置では、テーブルの動作は、用紙上面を検出する光学式センサの検出により一定量降下し、降下後は再度光学式センサにより用紙上面が検出されるまでテーブルが固定位置となる為に、次の問題があった。
・折り癖の悪い用紙において、折りミシン目以外の部分での用紙折れによるＪＡＭが発生する。
・テーブルが用紙上面検出センサの検出により降下した時、送風機の風により用紙の浮き上がりが乱れ、用紙折り畳みを阻害することによるＪＡＭが発生する。
・テーブルが用紙上面検出センサの検出により降下した時、送風機の風により用紙の浮き上がりが乱れて冷却不足となり、重なり合う印刷面のトナーが溶着する。
【０００８】
本発明の目的は、用紙のＪＡＭを防止すること、及び重なり合う印刷面のトナー溶着を防止することができる用紙折り畳み装置を提供することである。
【課題を解決するための手段】
【０００９】
上記課題は、用紙積載テーブルを上下に振幅動作させることにより解決ささされる。
【発明の効果】
【００１０】
本発明によれば、テーブルの上下振幅動作により、用紙が折りミシン目にて折り畳まれ易くなり、ジャムの発生がなくなり、さらに、送風機の風による用紙の浮き上がりの乱れがなくなり、冷却不足による重なり合う印刷面のトナーが溶着することを防止することができる。
【発明を実施するための最良の形態】
【００１１】
用紙のＪＡＭ防止、及び重なり合う印刷面のトナーの溶着を防止するという目的を、テーブルに上下振幅動作させることによりにより実現した。
【実施例１】
【００１２】
図１、２において、印刷された用紙４は、揺動するスイングフィン７によって用紙４のミシン目に沿って折り畳まれ、Ｔベルト８により折畳まれたミシン目をテーブル９側に押さえつけている。テーブル９上に一定量の用紙４が堆積されると、用紙上面が光学式のセンサ１０によって用紙４の上面が検出されテーブル９が一定量下がるようになっている。
【００１３】
用紙４は、定着装置５により加熱され、８０℃以上の高温のまま用紙折り畳み部６に搬送されてきており、この用紙４の温度を７０℃以下まで冷却しないと、重なり合う印刷面のトナーが溶着するために、用紙冷却用送風機１１及び用紙冷却用ダクト１２を有し、用紙４に送風している。
【００１４】
光学式センサ１０は、フロント側が受光側、リヤ側が発光側となっており、用紙４の積載により、４秒以上センサ光軸が遮られた時に、テーブル９が降下する。降下量は、５〜７ｍｍ／回となっている。
【００１５】
テーブル９とテーブルベース１３は、コイルばねからなる弾性体１４を介して接合されている。テーブル９が光学式センサ１０の検出により降下した時のテーブル９及び用紙４の自重による衝撃力を弾性体１４により受け、テーブル９が上下に振幅動作するようになっている。
【００１６】
本実施例では、弾性体１４としてコイルばねを用いているが、板ばね、ゴム等を使用してもよい。
【００１７】
また、本実施例では、テーブル９の上下振幅動作は、２．５ｍｍ±２ｍｍとなっており、テーブル９の振幅動作により、光学式センサ１０により用紙４が検出されることが無く、センサの誤検出によるテーブル９の異常な降下が防止可能である。
【００１８】
本構成とすることにより、折り癖の悪い用紙４でのＪＡＭ及び送風機１１の風によるＪＡＭの防止が可能であり、さらに送風機１１の風による用紙４の浮き上がりの乱れがなくなり、安定した用紙の浮き上がりが維持できるため、重なり合う印刷面のトナーが溶着することを防止することができる。
【００１９】
本実施例では、用紙積載テーブル９の振幅動作の手段として、ばね１４を使用しているが、駆動源の制御により、上下振幅動作させることも可能である。
【図面の簡単な説明】
【００２０】
【図１】本発明の側面図である。（実施例１）
【図２】本発明の正面図である。（実施例１）
【図３】従来技術の側面図である。
【符号の説明】
【００２１】
１…感光体表面
２…光学部
３…現像機
４…印刷用紙
５…定着装置
６…用紙折り畳み部
７…スイングフィン
８…Ｔベルト
９…テーブル
１０…光学式センサ
１１…用紙冷却用送風機
１２…用紙冷却用ダクト
１３…テーブルベース
１４…弾性体である。
【図１】
2005247532.tif 000003
【図２】
2005247532.tif 000004
【図３】
2005247532.tif 000005